【手続補正書】
【提出日】平成16年3月29日(2004.3.29)
【手続補正１】
【補正対象書類名】明細書
【補正対象項目名】全文
【補正方法】変更
【補正の内容】
【発明の名称】記録媒体再生装置
【特許請求の範囲】
【請求項１】記録媒体から読み出したディスクタイトル、及び各トラックタイトルのデータのうちの少なくともいずれかを表示装置に表示再生する表示処理手段を備えた記録媒体再生装置において、
表示速度の変更を使用者が指示入力するための再生速度変更指示手段からの指示に基づいて、前記表示処理手段の表示再生速度を変更させるように制御する再生速度変更制御手段を備えていることを特徴とする記録媒体再生装置。
【請求項２】前記再生速度変更指示手段が、表示の早送りを使用者が指示入力し得るものであり、
前記再生速度変更制御手段が、前記再生速度変更指示手段からの早送り指示に基づいて、前記表示処理手段の表示再生速度をアップさせるように制御するものであることを特徴とする請求項１記載の記録媒体再生装置。
【請求項３】前記再生速度変更指示手段が、表示の逆戻しを使用者が指示入力し得るものであり、
前記再生速度変更制御手段が、前記再生速度変更指示手段からの逆戻し指示に基づいて、前記表示処理手段の表示再生を逆戻しさせるように制御するものであることを特徴とする請求項１又は請求項２記載の記録媒体再生装置。
【請求項４】記録媒体から読み出したディスクタイトル、及び各トラックタイトルのデータのいずれかに基づいて、これらタイトルのいずれかを表示装置に表示再生する表示処理手段を備えた記録媒体再生装置において、
前記表示処理手段が、表示させるタイトルを使用者が選択指示入力するための表示タイトル選択手段からの選択指示に基づいて、前記使用者により選択されたタイトルを前記表示装置に表示するものであることを特徴とする記録媒体再生装置。
【請求項５】前記表示処理手段が、表示させるタイトルを使用者が選択指示入力するための表示タイトル選択手段からの選択指示に基づいて、前記使用者により選択されたタイトルを前記表示装置に表示するものであることを特徴とする請求項１〜３のいずれかの項に記載の記録媒体再生装置。
【発明の詳細な説明】
【０００１】
【発明の属する技術分野】
本発明は記録媒体再生装置に関し、より詳細には、ＭＤ（ミニディスク）などの記録媒体に記録されたディスクタイトル、及びトラックタイトルの表示機能を任意に制御することができるＭＤプレーヤなどの記録媒体再生装置に関する。
【０００２】
【従来の技術】
図５は、従来のＭＤプレーヤの要部を概略的に示したブロック図である。ディスプレイ１、表示処理手段２、第１の記憶手段３、ＣＰＵ４、入力手段５、光ピックアップ部６、音声用記憶手段７、デコーダ８、及びＤ／Ａコンバータ９は、バス線１０に接続されており、Ｄ／Ａコンバータ９は、スピーカ１１に接続されている。また、光ピックアップ部６はＣＰＵ４からの指示に従って、必要なデータをＭＤ１２より読み出す。
【０００３】
次に、前記ＭＤプレーヤの動作を簡単に説明する。
ＭＤ１２が前記ＭＤプレーヤにセットされると、第１の記憶手段３はＣＰＵ４からの指示に従って、ＭＤ１２に記録されているディスクタイトルのデータを記憶し、表示処理手段２はＣＰＵ４からの指示に従って、第１の記憶手段３よりデータを取得して表示用データを生成し、ディスプレイ１にディスクタイトルを表示再生する。
【０００４】
また、音声再生キーや、トラック選択キー（選曲キー）等を装備した入力手段５から、ＭＤ１２に記録されている第ｋ番目のトラックが選択、及び再生入力されると、第１の記憶手段３はＣＰＵ４からの指示に従って、ＭＤ１２に記録されている第ｋ番目のトラックタイトルのデータを記憶する。そして、表示処理手段２はＣＰＵ４からの指示に従って、第１の記憶手段３よりデータを取得して表示用データを生成し、ディスプレイ１に第ｋ番目のトラックタイトルを表示再生する。
【０００５】
さらに、音声用記憶手段７ではＣＰＵ４からの指示に従って、ＭＤ１２に記憶されている第ｋ番目のトラックの本文（曲のデータ）を記憶し、記憶されたデータは、デコーダ８、及びＤ／Ａコンバータ９を介して信号処理され、スピーカ１１より音声として出力される。
【０００６】
ＭＤに記録されているディスクタイトルや、各トラックタイトルには、それぞれ、ディスク全体に関わるタイトルや、各トラックに収められた内容に関わるタイトルが記録されている。例えば、「Ａ」という歌手の曲が収録されたアルバム名「ａｂｃ」というＭＤであれば、ディスクタイトルには、歌手名「Ａ」やアルバム名「ａｂｃ」等の文字情報が記録され、各トラックタイトルには、各トラックに収められた音楽の曲名、作詞者名、作曲者名、編曲者名、解説等の文字情報が記録されている。
【０００７】
また、ＭＤの開発コンセプトの一つとして、小型化という内容があり、ＭＤプレーヤに装備されるディスプレイのほとんどは、１０文字１行程度のスクロール表示となっている。従って、ＭＤのディスクタイトル、及びトラックタイトルはスクロール表示される。
【０００８】
【発明が解決しようとする課題】
しかしながら、スクロール表示であるので、その表示速度は普通に見て分かる程度にゆっくりであり、すぐに先の情報を見たいと使用者が望んだとしても、じっと待っていなければならないという課題や、所望の情報を見逃してしまった場合にも、はじめから再表示させるか、あるいは次に表示されるまで、待たなければならないという課題がある。
【０００９】
本発明は上記課題に鑑みなされたものであって、ＭＤなどの記録媒体に記録されたディスクタイトル、及びトラックタイトルがスクロール表示される場合であったとしても、スクロール表示を早送りさせることにより、先の情報をすぐに表示させることができ、かつスクロール表示を逆戻しさせることにより、見逃した情報や、もう一度見たい情報をすぐに見直すことができる記録媒体再生装置を提供することを目的としている。
【００１０】
【課題を解決するための手段及びその効果】
上記目的を達成するために本発明に係る記録媒体再生装置（１）は、記録媒体から読み出したディスクタイトル、及び各トラックタイトルのデータのうちの少なくともいずれかを表示装置に表示再生する表示処理手段を備えた記録媒体再生装置において、表示速度の変更を使用者が指示入力するための再生速度変更指示手段からの指示に基づいて、前記表示処理手段の表示再生速度を変更させるように制御する再生速度変更制御手段を備えていることを特徴としている。
【００１１】
また、本発明に係る記録媒体再生装置（２）は、上記記録媒体再生装置（１）において、前記再生速度変更指示手段が、表示の早送りを使用者が指示入力し得るものであり、前記再生速度変更制御手段が、前記再生速度変更指示手段からの早送り指示に基づいて、前記表示処理手段の表示再生速度をアップさせるように制御するものであることを特徴としている。
【００１２】
上記記録媒体再生装置（２）によれば、使用者からの指示入力によって、前記表示再生速度をアップさせることが可能であり、先の情報をすぐに表示させることができる。従って、記録媒体再生装置（例えば、ＭＤプレーヤ）に装備されている前記表示装置がスクロール表示になっていたとしても、すぐに先の情報を見たいという使用者の要望に応えることができる。
【００１３】
また、本発明に係る記録媒体再生装置（３）は、上記記録媒体再生装置（１）又は（２）において、前記再生速度変更指示手段が、表示の逆戻しを使用者が指示入力し得るものであり、前記再生速度変更制御手段が、前記再生速度変更指示手段からの逆戻し指示に基づいて、前記表示処理手段の表示再生を逆戻しさせるように制御するものであることを特徴としている。
【００１４】
上記記録媒体再生装置（３）によれば、使用者からの指示入力によって、前記表示再生を逆戻しさせる（すなわち、表示速度を負にする）ことが可能であり、前記ディスクタイトル、及び前記各トラックタイトルそれぞれのはじめのところから再表示させなくても、既に表示されてしまった情報をすぐに表示させ直すことができる。従って、記録媒体再生装置（例えば、ＭＤプレーヤ）に装備されている前記表示装置がスクロール表示になっていたとしても、見逃してしまった情報や、もう一度見たい情報をすぐに見直すことができる。
【００１５】
また、本発明に係る記録媒体再生装置（４）は、記録媒体から読み出したディスクタイトル、及び各トラックタイトルのデータのいずれかに基づいて、これらタイトルのいずれかを表示装置に表示再生する表示処理手段を備えた記録媒体再生装置において、前記表示処理手段が、表示させるタイトルを使用者が選択指示入力するための表示タイトル選択手段からの選択指示に基づいて、前記使用者により選択されたタイトルを前記表示装置に表示するものであることを特徴としている。
【００１６】
上記記録媒体再生装置（４）によれば、前記表示処理手段により表示させるタイトルを使用者が選択可能であるので、再生されているトラックではない、別のトラックタイトルを前記表示装置に表示させることができる。
【００１７】
例えば、「SONG１」、「SONG２」、「SONG３」という３曲が収録されたＭＤにおいて、従来は、「SONG２」が音声再生されている時には、「SONG２」の曲名、作詞者名、作曲者名等しか表示させることができなかったが、上記記録媒体再生装置（４）では、「SONG２」が音声再生されている時であったとしても、「SONG２」の曲名、作詞者名、作曲者名等はもちろんのこと、「SONG１」、「SONG３」についての曲名、作詞者名、作曲者名等を表示させることができる。
【００１８】
また、本発明に係る記録媒体再生装置（５）は、上記記録媒体再生装置（１）〜（３）のいずれかにおいて、前記表示処理手段が、表示させるタイトルを使用者が選択指示入力するための表示タイトル選択手段からの選択指示に基づいて、前記使用者により選択されたタイトルを前記表示装置に表示するものであることを特徴としている。
【００１９】
上記記録媒体再生装置（５）によれば、前記表示処理手段により表示させるタイトルを使用者が選択可能であるので、再生されているトラックではない、別のトラックタイトルを前記表示装置に表示させることができる。
【００２０】
また、使用者からの指示入力によって、前記表示再生速度をアップさせたり、前記表示再生を逆戻しさせることが可能であり、先の情報をすぐに表示させることや、既に表示されてしまった情報をすぐに表示させ直すことができる。従って、記録媒体再生装置（例えば、ＭＤプレーヤ）に装備されている前記表示装置がスクロール表示になっていたとしても、すぐに先の情報を見ることや、見逃してしまった情報、及びもう一度見たい情報をすぐに見直すことができる。
【００２１】
【発明の実施の形態】
以下、本発明に係る記録媒体再生装置の実施の形態を図面に基づいて説明する。
図１は、実施の形態（１）に係る記録媒体再生装置が採用されたＭＤプレーヤの要部を概略的に示したブロック図である。ここでは、図５で示した従来のＭＤプレーヤと同様の構成については、その説明を省略する。
【００２２】
表示の早送りを指示入力するための早送り指示キー１４ａ、及び表示の逆戻しを指示入力するための逆戻し指示キー１４ｂを装備した入力手段１４と、ＣＰＵ１３とがバス線１０に接続されている。
【００２３】
またＣＰＵ１３は、早送り指示キー１４ａからの信号を受信し、該信号に応じて表示処理手段２の表示再生速度をアップさせるように制御する表示早送り制御手段１３ａと、逆戻し指示キー１４ｂからの信号を受信し、該信号に応じて表示処理手段２の表示再生を逆戻しさせるように制御する表示逆戻し制御手段１３ｂとを含んで構成されている。
【００２４】
実施の形態（１）に係る記録媒体再生装置（ＭＤプレーヤ）におけるＣＰＵ１３の動作を図２に示したフローチャートに基づいて説明する。
まずステップ１において、ディスプレイ１にＭＤ１２のディスクタイトル、あるいはトラックタイトルが表示されているか否かを判断する。表示されていれば、ステップ２に移り、表示されていなければ、ステップ１に戻る。
【００２５】
ステップ２では、早送り指示キー１４ａ又は逆戻し指示キー１４ｂの操作が行なわれたか否かを判断する。操作が行なわれていれば、ステップ３に移り、操作が行なわれていなければ、ステップ２に戻る。
【００２６】
ステップ３では、早送り指示キー１４ａ、逆戻し指示キー１４ｂのうちのいずれが操作されたかを判断する。早送り指示キー１４ａが操作されていれば、ステップ４に移り、表示処理手段２の表示再生速度をアップさせるように制御する。一方、逆戻し指示キー１４ｂが操作されていれば、ステップ５に移り、表示処理手段２の表示再生を逆戻しさせるように制御する。
【００２７】
上記実施の形態（１）に係る記録媒体再生装置（ＭＤプレーヤ）によれば、使用者からの指示入力によって、表示再生速度をアップさせたり、表示再生を逆戻しさせることが可能となり、先の情報をすぐに表示させることや、既に表示されてしまった情報をすぐに表示させ直すことができる。
【００２８】
従って、前記ＭＤプレーヤに装備されているディスプレイ１がスクロール表示になっていたとしても、すぐに先の情報を見ることや、見逃してしまった情報、及びもう一度見たい情報をすぐに見直すことができる。
【００２９】
図３は、実施の形態（２）に係る記録媒体再生装置が採用されたＭＤプレーヤの要部を概略的に示したブロック図である。ここでは、図５で示した従来のＭＤプレーヤと同様の構成については、その説明を省略する。
第２の記憶手段１５、ＣＰＵ１６、及び表示処理手段２に取得させるデータを選択入力するための表示タイトル選択キー１７ａ等を装備した入力手段１７がバス線１０に接続されている。
【００３０】
また、第２の記憶手段１５は、ＭＤ１２が前記ＭＤプレーヤにセットされると、ＣＰＵ１６からの指示に従って、ＭＤ１２に記録されているディスクタイトル、及び各トラックタイトルのデータを全て記憶するものであり、ＣＰＵ１６は、表示タイトル選択キー１７ａからの信号を受信し、該信号に基づいたデータを第２の記憶手段１５から表示処理手段２に送信させるように制御する送信制御手段１６ａを含んで構成されている。
【００３１】
実施の形態（２）に係る記録媒体再生装置（ＭＤプレーヤ）におけるＣＰＵ１６の動作を図４に示したフローチャートに基づいて説明する。
まずステップ１１において、ＭＤ１２が前記ＭＤプレーヤにセットされたか否かを判断する。セットされていれば、ステップ１２に移り、セットされていなければ、ステップ１１に戻る。
【００３２】
ステップ１２では、第２の記憶手段１５に、ＭＤ１２に記録されているディスクタイトル、及び各トラックタイトルのデータを全て記憶させ、次にステップ１３において、音声用記憶手段７に記憶されるトラックの本文に対応するトラックタイトルのデータを表示処理手段２に取得させ、そして表示用データを生成し、ディスプレイ１に表示再生するように制御する。
【００３３】
次にステップ１４では、表示タイトル選択キー１７ａの操作が行なわれたか否かを判断する。操作が行なわれていれば、ステップ１５に移り、操作が行なわれていなければ、ステップ１６に移る。
【００３４】
ステップ１５では、表示タイトル選択キー１７ａからの信号を受信し、該信号に基づいたデータを第２の記憶手段１５から表示処理手段２に送信させ、そして表示用データを生成し、ディスプレイ１に表示するように制御する。
【００３５】
次にステップ１６において、表示されているディスクタイトル、あるいは各トラックタイトルの表示が終了したか否かを判断する。終了していれば、ステップ１３に戻り、終了していなければ、ステップ１４に戻る。
【００３６】
上記実施の形態（２）に係る記録媒体再生装置（ＭＤプレーヤ）によれば、表示処理手段２が取得するデータを使用者が選択可能であるので、ディスプレイ１に表示再生されるデータを選択することができる。従って、スピーカ１１から音声が再生されているトラックではない、別のトラックタイトルをディスプレイ１に表示させることができる。
【００３７】
例えば、「SONG１」、「SONG２」、「SONG３」という３曲が収録されたＭＤにおいて、従来は、「SONG２」がスピーカ１１より音声再生されている時には、「SONG２」の曲名、作詞者名、作曲者名等しかディスプレイ１に表示させることができなかったが、前記ＭＤプレーヤにより、「SONG２」が音声再生されている時であったとしても、「SONG２」の曲名、作詞者名、作曲者名等はもちろんのこと、「SONG１」、「SONG３」についての曲名、作詞者名、作曲者名等をディスプレイ１に表示させることができる。
【図面の簡単な説明】
【図１】本発明の実施の形態（１）に係る記録媒体再生装置（ＭＤプレーヤ）の要部を概略的に示したブロック図である。
【図２】実施の形態（１）に係る記録媒体再生装置（ＭＤプレーヤ）におけるＣＰＵの動作を示したフローチャートである。
【図３】実施の形態（２）に係る記録媒体再生装置（ＭＤプレーヤ）の要部を概略的に示したブロック図である。
【図４】実施の形態（２）に係る記録媒体再生装置（ＭＤプレーヤ）におけるＣＰＵの動作を示したフローチャートである。
【図５】従来のＭＤプレーヤの要部を概略的に示したブロック図である。
【符号の説明】
１  ディスプレイ
２  表示処理手段
３  第１の記憶手段
４、１３、１６  ＣＰＵ
５、１４、１７  入力手段
６  光ピックアップ部
７  音声用記憶手段
８  デコーダ
９  Ｄ／Ａコンバータ
１０  バス線
１１  スピーカ
１２  ＭＤ
１３ａ  表示早送り制御手段
１３ｂ  表示逆戻し制御手段
１４ａ  早送り指示キー
１４ｂ  逆戻し指示キー
１５  第２の記憶手段
１６ａ  送信制御手段
１７ａ  表示タイトル選択キー